(57)【要約】【課題】記憶媒体収容装置に係るセキュリティを簡易に確保することを課題とする。【解決手段】記憶媒体を収容口から収容する記憶媒体収容装置の前記収容口付近に外付けされる記憶媒体収容装置外付けユニットであって、記憶媒体収容装置に収容されようとする記憶媒体の正当性を、記憶媒体に付与されるＲＦＩＤタグに記憶された情報を用いて認証する認証手段と、認証手段によって当該記憶媒体の正当性が認証されることを条件として、収容口を開放する収容口開閉手段と、認証手段によって当該記憶媒体の正当性が認証されることを条件として、収容口開閉手段によって開放された収容口から当該記憶媒体を記憶媒体収容装置の内部へと搬送する記憶媒体搬送手段とを備える。これによって、既存の記憶媒体収容装置に改造を加えることなくセキュリティを簡易に確保することが可能になる。【選択図】        図５
2007207331.tif 000002
【特許請求の範囲】
【請求項１】
記憶媒体を収容口から収容する記憶媒体収容装置の前記収容口付近に外付けされる記憶媒体収容装置外付けユニットであって、
前記記憶媒体収容装置に収容されようとする前記記憶媒体の正当性を認証する認証手段と、
前記認証手段によって前記記憶媒体が正当であることを条件として、前記収容口を開放する収容口開閉手段と、
前記認証手段によって前記記憶媒体が正当であることを条件として、前記収容口開閉手段によって開放された収容口から当該記憶媒体を前記記憶媒体収容装置の内部へと搬送する記憶媒体搬送手段と、
を備えたことを特徴とする記憶媒体収容装置外付けユニット。
【請求項２】
前記収容口開閉手段は、前記記憶媒体搬送手段によって前記記憶媒体が拘束されることを条件として、前記収容口を開放することを特徴とする請求項１に記載の記憶媒体収容装置外付けユニット。
【請求項３】
前記記憶媒体搬送手段は、前記収容口開閉手段によって前記収容口が閉鎖されることを条件として、前記記憶媒体に対する拘束を解除することを特徴とする請求項２に記載の記憶媒体収容装置外付けユニット。
【請求項４】
前記認証手段は、前記記憶媒体に付与されるＲＦＩＤ（Radio Frequency Identification）タグに記憶された情報を用いて前記記憶媒体を認証することを特徴とする請求項１、２または３に記載の記憶媒体収容装置外付けユニット。
【発明の詳細な説明】
【技術分野】
【０００１】
この発明は、記憶媒体を収容口から収容する記憶媒体収容装置の前記収容口付近に外付けされる記憶媒体収容装置外付けユニットに関する。
【背景技術】
【０００２】
従来より、記憶媒体を収容する記憶媒体収容装置（例えば、電子計算機の周辺装置として、記憶媒体の情報を電子計算機に転送する装置）がある。このような記憶媒体収容装置では、ユーザによって収容口に記憶媒体が投入されると、それが物理的に収容可能な記憶媒体であれば全てを収容していた。例えば、非特許文献１の磁気テープ装置では、ユーザによって収容口に投入された３６トラック記録様式（ＩＳＯ／ＩＥＣ  １４２５１、Ｘ  ６１３５、ＩＮＣＩＴＳ  ２６１−１９９６に準拠）の磁気テープカートリッジの全てを収容していた。
【０００３】
【非特許文献１】“ETERNUS F6476M/S  テープ装置”、［online］、［平成１８年１月１６日検索］、インターネット＜http://storage-system.fujitsu.com/jp/products/tape/f6476ms/＞
【発明の開示】
【発明が解決しようとする課題】
【０００４】
ところで、上記した従来の技術では、物理的に収容可能な記憶媒体であれば全てを収容するので、収容された記憶媒体が、当該記憶媒体収容装置で扱うべき記憶媒体であるのか否か（例えば、確かな作成者によって作成されたものであるか、偽造された記憶媒体ではないか、悪意あるコード（malicious code）を含む記憶媒体ではないかなど）、記憶媒体の正当性を判別できず、記憶媒体収容装置に係るセキュリティを確保できないという課題があった。
【０００５】
なお、上記した従来技術の課題を解決するために、記憶媒体の正当性を判別する機能を記憶媒体収容装置の内部に装備する手法が考えられるが、記憶媒体収容装置の改造が必要となり事実上は不可能である（既存の記憶媒体収容装置を利用できない）という新たな課題が生じてしまう。
【０００６】
そこで、この発明は、上述した従来技術の課題を解決するためになされたものであり、既存の記憶媒体収容装置に改造を加えることなくセキュリティを簡易に確保することが可能な記憶媒体収容装置外付けユニットを提供することを目的とする。
【課題を解決するための手段】
【０００７】
上述した課題を解決し、目的を達成するため、請求項１に係る発明は、記憶媒体を収容口から収容する記憶媒体収容装置の前記収容口付近に外付けされる記憶媒体収容装置外付けユニットであって、前記記憶媒体収容装置に収容されようとする前記記憶媒体の正当性を認証する認証手段と、前記認証手段によって前記記憶媒体が正当であることを条件として、前記収容口を開放する収容口開閉手段と、前記認証手段によって前記記憶媒体が正当であることを条件として、前記収容口開閉手段によって開放された収容口から当該記憶媒体を前記記憶媒体収容装置の内部へと搬送する記憶媒体搬送手段と、を備えたことを特徴とする。
【０００８】
また、請求項２に係る発明は、上記の発明において、前記収容口開閉手段は、前記記憶媒体搬送手段によって前記記憶媒体が拘束されることを条件として、前記収容口を開放することを特徴とする。
【０００９】
また、請求項３に係る発明は、上記の発明において、前記記憶媒体搬送手段は、前記収容口開閉手段によって前記収容口が閉鎖されることを条件として、前記記憶媒体に対する拘束を解除することを特徴とする。
【００１０】
また、請求項４に係る発明は、上記の発明において、前記認証手段は、前記記憶媒体に付与されるＲＦＩＤ（Radio Frequency Identification）タグに記憶された情報を用いて前記記憶媒体を認証することを特徴とする。
【発明の効果】
【００１１】
請求項１の発明によれば、記憶媒体収容装置に収容されようとする記憶媒体の正当性を認証し、認証手段によって記憶媒体が正当であることを条件として、収容口を開放し、認証手段によって記憶媒体が正当であることを条件として、収容口開閉手段によって開放された収容口から記憶媒体を記憶媒体収容装置の内部へと搬送するので、記憶媒体収容装置外付けユニットは、記憶媒体の正当性を判別することができ、かつ、既存の記憶媒体収容装置を利用することができ、これによって、既存の記憶媒体収容装置に改造を加えることなくセキュリティを簡易に確保することが可能になる。
【００１２】
また、請求項２の発明によれば、収容口開閉手段は、記憶媒体搬送手段によって記憶媒体が拘束されることを条件として、収容口を開放するので、記憶媒体収容装置外付けユニットは、記憶媒体を不正な態様で記憶媒体収容装置に収容させること（例えば、収容口が開放された後に、認証された記憶媒体を抜き取り、認証されていない別の記憶媒体を投入する行為など）を防ぐことができ、これによって、記憶媒体収容装置に係るセキュリティをより強固に確保することが可能になる。
【００１３】
また、請求項３の発明によれば、記憶媒体搬送手段は、収容口開閉手段によって収容口が閉鎖されることを条件として、記憶媒体に対する拘束を解除するので、記憶媒体収容装置外付ユニットは、記憶媒体を不正な態様で記憶媒体収容装置に収容させること（例えば、収容口が開放され、認証された記憶媒体が記憶媒体収容装置内部へ搬送された後に、この記憶媒体を抜き取り、認証されていない別の記憶媒体を記憶媒体収容装置内部へ投入する行為など）を防ぐことができ、これによって、記憶媒体収容装置に係るセキュリティをより強固に確保することが可能になる。
【００１４】
また、請求項４の発明によれば、認証手段は、記憶媒体に付与されるＲＦＩＤ（Radio Frequency Identification）タグに記憶された情報を用いて記憶媒体を認証するので、記憶媒体収容装置外付けユニットは、無線通信を用いて高速に記憶媒体の正当性を認証することや、タグに記憶されたより多くの情報を用いて多様な目的で記憶媒体を認証することができ、これによって、記憶媒体収容装置に係るセキュリティをより高度に利用することが可能になる。
【発明を実施するための最良の形態】
【００１５】
以下に添付図面を参照して、この発明に係る記憶媒体収容装置外付けユニットの実施例を詳細に説明する。なお、以下では、本実施例で用いる主要な用語（０：用語の説明）、本実施例に係る記憶媒体収容装置外付けユニットの概要および特徴（１：記憶媒体収容装置外付けユニットの概要および特徴）、記憶媒体収容装置外付けユニットの構成および処理の流れ（２：記憶媒体収容装置外付けユニットの構成、３：記憶媒体収容装置外付けユニットによる処理）を順に説明し、最後に本実施例に対する種々の変形例（４：他の実施例）を説明する。
【実施例１】
【００１６】
［０：用語の説明］
最初に、本実施例で用いる主要な用語を説明する。本実施例で用いる「磁気テープカートリッジ（特許請求の範囲に記載の「記憶媒体」に対応する）」とは、可搬性を有する外部記憶装置の一種であり、図１に示すように、磁性体を塗ったテープをカセットに収めたものである。また、本実施例で用いる「磁気テープ装置（特許請求の範囲に記載の「記憶媒体収容装置」に対応する）」とは、磁気テープカートリッジに対して読み取りや書き込みなどを行う装置のことであり、図２に示すように、装置の前面に、磁気テープカートリッジを収容する収容口を複数個有する箱型の装置である。この磁気テープ装置は、電子計算機本体への接続端子を有し、内部には磁気テープカートリッジに対して読み取りや書き込みなどを行うための機構を有している。なお、図２において、磁気テープ装置は、磁気テープカートリッジを収容するためのユニット（１ユニットあたり、１２個の収容口を備える）を４つ装備している。
【００１７】
［１：記憶媒体収容装置外付けユニットの概要および特徴（実施例１）］
次に、図３〜図５を用いて、本実施例に係る記憶媒体収容装置外付けユニットの概要および特徴を説明する。図３は、ＲＦＩＤタグを付与した磁気テープカートリッジを説明するための図であり、図４は、実施例１に係る記憶媒体収容装置外付けユニットの装備について説明するための図であり、図５は、実施例１に係る記憶媒体収容装置外付けユニットの概要および特徴を説明するための図である。
【００１８】
実施例１に係る記憶媒体収容装置外付けユニットは、記憶媒体を収容口から収容する記憶媒体収容装置の収容口付近に外付けされるものであり、既存の記憶媒体収容装置に改造を加えることなくセキュリティを簡易に確保することができるようにしている点に主たる特徴がある。
【００１９】
この主たる特徴について簡単に説明すると、本実施例において、磁気テープカートリッジ１０は、図３に示すように、その表面にＲＦＩＤ（Radio Frequency Identification）タグ１１を付与されている。このＲＦＩＤタグ１１は、数ｃｍ程度の大きさの「タグ」と呼ばれる媒体にデータを記憶し、電波や電磁波で認証装置と交信する機構を有するものである。具体的には、ＲＦＩＤタグ１１は、磁気テープカートリッジ１０の個別情報を記憶し、当該磁気テープカートリッジ１０に付与され、磁気テープ装置外付けユニットに装備された認証装置と交信することで、当該磁気テープカートリッジ１０の個別情報を磁気テープ装置外付けユニットに認識させることができる。
【００２０】
そして、磁気テープ装置外付けユニット３０は、図４に示すように、磁気テープ装置２０の前面における収容口付近に装備される。なお、図４において、磁気テープ装置外付けユニット３０は、磁気テープ装置２０に４つ装備されており、１つの磁気テープ装置外付けユニット３０は、２個の磁気テープカートリッジ投入口３１ａおよび３１ｂと、それぞれの投入口に対応するイジェクトスイッチ３２ａおよび３２ｂとを有している。また、磁気テープ装置２０の右部分には、磁気テープ装置外付けユニット３０を構成する各種機構を動作させるための機構（例えば、シーケンサ２１など）を収容するための筐体が追加されている。
【００２１】
また、図５は、図４において４つ装備されていた磁気テープ装置外付けユニット３０の内の１つを、磁気テープ装置２０の一部とともに斜め横から表示したものである。磁気テープ装置外付けユニット３０は、図５に示すように、箱型のユニットで、磁気テープカートリッジ投入口３１ａおよび３１ｂを前面に２個、縦に並べて有している。この投入口３１ａおよび３１ｂは、磁気テープカートリッジ１０を磁気テープ装置外付けユニット３０の内部に受け入れるための単なる出入口にすぎず、磁気テープカートリッジ１０を磁気テープ装置２０の内部に収容するための収容口とは異なるものである。よって、ユーザによって投入口３１ａおよび３１ｂに磁気テープカートリッジ１０が投入されると、それが物理的に収容可能な磁気テープカートリッジ１０であれば全て投入を受け入れる。なお、磁気テープ装置外付けユニット３０は、磁気テープ装置２０の収容口付近に外付けされるため、図５においては、収容口を視覚的に確認することはできない。
【００２２】
さらに、磁気テープ装置外付けユニット３０は、図５に示すように、磁気テープカートリッジ投入口３１ａおよび３１ｂごとに、それぞれに対応するイジェクトスイッチ３２ａおよび３２ｂを有している。このイジェクトスイッチ３２ａおよび３２ｂは、ユーザが、磁気テープカートリッジ１０を磁気テープ装置外付けユニット３０に投入したものの、そのまま磁気テープ装置２０の内部へ収容させることを中断し、磁気テープカートリッジ１０を排出させるために押すスイッチである。
【００２３】
なお、磁気テープ装置外付けユニット３０は、箱型のユニットの内部に、後述する認証機構４０と、収容口開閉機構５０と、記憶媒体搬送機構６０とを有するが、図５においては、これらの機構を視覚的に確認することはできない。
【００２４】
次に、実施例１に係る記憶媒体収容装置外付けユニットの動作について簡単に説明すると、ＲＦＩＤタグ１１を付与された磁気テープカートリッジ１０がユーザによって投入口３１ａまたは３１ｂから投入されると、磁気テープ装置外付けユニット３０は、後述する磁気テープ装置外付けユニット３０内部の認証機構４０によって、磁気テープ装置２０に収容されようとする当該磁気テープカートリッジ１０の個別情報を認識し、認証する。これによって、磁気テープカートリッジ１０の正当性（例えば、確かな作成者によって作成されたものであるなど）が認証されることを条件として、磁気テープ装置外付けユニット３０は、後述する収容口開閉機構５０によって収容口を開放するとともに、後述する記憶媒体搬送機構６０によって、開放された収容口から磁気テープカートリッジ１０を磁気テープ装置２０の内部へと搬送する。
【００２５】
このようなことから、実施例１に係る磁気テープ装置外付けユニットは、記憶媒体の正当性を判別することができ、かつ、既存の記憶媒体収容装置を利用することができるので、上記した主たる特徴の通り、既存の記憶媒体収容装置に改造を加えることなくセキュリティを簡易に確保することが可能になる。
【００２６】
［２：記憶媒体収容装置外付けユニットの構成（実施例１）］
続いて、図６〜図１１を用いて、実施例１に係る記憶媒体収容装置外付けユニットの構成を説明する。図６は、認証機構を説明するための図であり、図７は、収容口開閉機構を説明するための図であり、図８は、記憶媒体搬送機構を説明するための図であり、図９は、実施例１に係る記憶媒体収容装置外付けユニットの各種機構を背面からみた図であり、図１０は、実施例１に係る記憶媒体収容装置外付けユニットの透過図であり、図１１は、実施例１に係る記憶媒体収容装置外付けユニットの動作を説明するための図である。
【００２７】
図６に示すように、認証機構４０は、磁気テープカートリッジ１０に付与されたＲＦＩＤタグ１１と電波や電磁波で交信するためのアンテナ４１と、ＲＦＩＤタグに記憶されているデータの呼び出し、登録、削除または更新などを行うためのリーダライタ４２と、その他の部品とで構成される。なお、図６においては、矢印が示す磁気テープ装置２０の内部方向に向かって投入された磁気テープカートリッジ１０の投入イメージが、認証機構４０の下に示されている。
【００２８】
認証機構４０は、磁気テープ装置外付けユニット３０に磁気テープカートリッジ１０が投入されると、磁気テープカートリッジ１０に付与されたＲＦＩＤタグ１１から当該磁気テープカートリッジ１０の個別情報を受信し、当該磁気テープカートリッジ１０の正当性（例えば、確かな作成者によって作成されたものであるなど）を認証する。具体的には、この個別情報と、あらかじめユーザによって設定された個別情報とを比較し、一致するか否かの判定により認証を行う。
【００２９】
図７に示すように、収容口開閉機構５０は、磁気テープカートリッジ１０を磁気テープ装置２０に収容する収容口を開閉する手段であるＬ字型のシャッタ５１と、シャッタ５１を駆動するシャッタ駆動用モータ５２と、センサー５３と、センサー５４と、その他の部品とで構成される。ここで、センサー５３は、シャッタが閉鎖された状態になったか否かを検出するためのセンサーであり、センサー５４は、シャッタが開放された状態になったか否かを検出するためのセンサーである。なお、図７においては、矢印が示す磁気テープ装置２０の内部方向に向かって投入された磁気テープカートリッジ１０の投入イメージが、収容口開閉機構５０の下に示されており、シャッタ５１は、磁気テープカートリッジ１０が磁気テープ装置２０の内部へと搬送されることを遮るように閉鎖された状態である。また、リーダライタ４２は、図６に示したリーダライタ４２に対応する。
【００３０】
収容口開閉機構５０は、磁気テープ装置外付けユニット３０に投入された磁気テープカートリッジ１０が、認証機構４０によって正当性を認証されることを条件として、収容口を開放する。具体的には、シャッタ駆動用モータ５２によりシャッタ５１を駆動し、Ｌ字型のシャッタ５１を回転させることによって、収容口を開放する。
【００３１】
図８に示すように、記憶媒体搬送機構６０は、磁気テープカートリッジ１０を搬送するためのベルト６１ａおよび６１ｂと、ベルト６１ａおよび６１ｂを駆動するためのベルト駆動用モータ６２と、テンション解除用モータ６３と、センサー６４と、センサー６５と、センサー６６と、テンションバネ６７と、その他の部品とから構成される。ここで、ベルト６１ａおよび６１ｂは、磁気テープカートリッジ１０を左右から拘束し、ベルト駆動用モータ６２による駆動でベルト６１ａおよび６１ｂを回転することで、磁気テープカートリッジ１０を磁気テープ装置２０の内外へ搬送する機構を有するものである。そして、テンションバネ６７は、磁気テープカートリッジ１０の側面にテンションを掛けるためにバネで付勢しているものであり、磁気テープカートリッジ１０が磁気テープ装置２０の内部へと搬送され、磁気テープ装置２０内部のロボット（磁気テープカートリッジ１０を磁気テープ装置２０の内部へ収容するロボット）に受け渡される時、および磁気テープカートリッジ１０が磁気テープ装置２０外へ排出される時に、テンション解除用モータ６３による駆動で解除される。
【００３２】
また、センサー６４は、磁気テープカートリッジ１０が磁気テープ装置外付けユニット３０の投入口側に排出された状態になったか否かを検出するため、もしくは、磁気テープカートリッジ１０が磁気テープ装置外付けユニット３０の内部に投入された状態になったか否かを検出するためのセンサーである。そして、センサー６５は、ベルト６１ａおよび６１ｂが磁気テープカートリッジ１０に対する拘束を解除した状態になったか否かを検出するためのセンサーであり、センサー６６は、ベルト６１ａおよび６１ｂが磁気テープカートリッジ１０を拘束した状態になったか否かを検出するためのセンサーである。
【００３３】
記憶媒体搬送機構６０は、磁気テープ装置外付けユニット３０に投入された磁気テープカートリッジ１０が、認証機構４０によって正当性を認証されることを条件として、収容口開閉機構５０によって開放された収容口から磁気テープカートリッジ１０を磁気テープ装置２０の内部へと搬送する。具体的には、磁気テープカートリッジ１０をベルト６１ａおよび６１ｂによって左右から拘束し、ベルト駆動用モータ６２によりベルト６１ａおよび６１ｂを駆動し、ベルト６１ａおよび６１ｂを回転させることで、磁気テープカートリッジ１０を磁気テープ装置２０の内部へと搬送する。
【００３４】
次に、図９に示すように、磁気テープ装置外付けユニット３０は、箱型のユニットの内部にて、認証機構４０と、収容口開閉機構５０と、記憶媒体搬送機構６０と、その他の部品とを組み合わせることによって構成されている。なお、図９に示される、センサー７１とセンサー７２とを説明すると、センサー７１は、磁気テープカートリッジ１０が磁気テープ装置２０内部から排出された状態になったか否かを検出するためのセンサーであり、センサー７２は、磁気テープカートリッジ１０が磁気テープ装置２０の内部に収容可能な位置に設置された状態になったか否かを検出するためのセンサーである。
【００３５】
図１０に示すように、磁気テープ装置外付けユニット３０は、磁気テープカートリッジ１０を投入するための投入口を前面に２個、縦に並べて有しており、上部の投入口３１ａと、下部の投入口３１ｂとがある。よって、磁気テープ装置外付けユニット３０は、上部と下部とに全く同じ機構を有するので、以下では、上部に着目して説明する。
【００３６】
磁気テープ装置外付けユニット３０は、認証機構４０と、収容口開閉機構５０と、記憶媒体搬送機構６０と、その他の部品とを、図１０に示すような位置関係で組み合わせることによって構成されている。なお、図１０においては、説明の便宜上、磁気テープカートリッジ１０が２つ示されているが、これは、磁気テープ装置外付けユニット３０に投入された磁気テープカートリッジ１０が、図１０に示された左側の磁気テープカートリッジ１０から右側の磁気テープカートリッジ１０へ、すなわち、磁気テープ装置外付けユニット３０の投入口側から磁気テープ装置２０の収容口側へと搬送されることを示したものである。なお、センサー６４、センサー７１、およびセンサー７２は、図９に示したセンサー６４、センサー７１、およびセンサー７２に対応する。
【００３７】
ところで、上記したように、磁気テープ装置外付けユニット３０は、認証機構４０と、収容口開閉機構５０と、記憶媒体搬送機構６０と、その他の部品とで構成されるが、これらの各種機構や部品間で行われる動作を制御する装置として、シーケンサ２１が用いられる。シーケンサ２１は、図４に示すように、磁気テープ装置２０の右部分に追加されている筐体に収容されている。このシーケンサ２１は、シーケンサ２１に対する入力機器の指令信号（例えば、「ＯＮ」、「ＯＦＦ」など）に応じて、出力機器に対する指令（例えば、「ＯＮ」、「ＯＦＦ」など）を下すことにより、シーケンス制御を実現する専用の計算機であり、制御内容は、専用の命令語によるプログラムとして、シーケンサのＣＰＵに書き込まれる。なお、シーケンサ２１による制御の流れは、図１１〜図１８を用いて詳述する。
【００３８】
続いて、図１１を用いて、実施例１に係る記憶媒体収容装置外付けユニットが利用される局面として、磁気テープカートリッジ１０が磁気テープ装置外付けユニット３０へ投入されてから、磁気テープ装置２０の内部へ収容可能な位置に設置された状態に至るまでの流れを説明する。
【００３９】
図１１に示すように、磁気テープカートリッジ１０には、ＲＦＩＤタグ１１が付与されている。そして、このＲＦＩＤタグ１１には、当該磁気テープカートリッジ１０の個別情報が記憶されている。まず、ＲＦＩＤタグ１１を付与された磁気テープカートリッジ１０は、磁気テープ装置外付けユニット３０の投入口から投入される（図１１の(1)を参照）。なお、このとき、磁気テープ装置外付けユニット３０の収容口開閉機構５０は、シャッタ５１を回転することによって、収容口を閉鎖した状態で、記憶媒体搬送機構６０は、ベルト６１ａおよび６１ｂを左右に開き、磁気テープカートリッジ１０に対する拘束を解除している状態である。
【００４０】
続いて、磁気テープ装置外付けユニット３０は、センサー６４により、磁気テープカートリッジ１０が磁気テープ装置外付けユニット３０の内部に投入された状態を検出するとともに、認証機構４０のアンテナ４１により磁気テープカートリッジ１０に付与されたＲＦＩＤタグ１１と交信し、ＲＦＩＤタグに記憶された当該磁気テープカートリッジ１０の個別情報を用いて、磁気テープカートリッジ１０を認証する（図１１の(2)を参照）。例えば、ＲＦＩＤタグ１１には、磁気テープカートリッジ１０の作成者を示す固有の識別番号が記憶されているので、ＲＦＩＤタグ１１と交信した認証機構４０は、この固有の識別番号と、あらかじめユーザによって設定された識別番号とを比較し、一致するか否かを判定する。判定の結果、一致すれば、このＲＦＩＤタグ１１を付与された磁気テープカートリッジ１０が、確かな作成者によって作成されたもので、当該磁気テープ装置２０で扱うべき磁気テープカートリッジ１０であると判断することができ、磁気テープカートリッジ１０の正当性を判別できる。
【００４１】
このようにして、センサー６４により磁気テープカートリッジ１０が磁気テープ装置外付けユニット３０内に投入された状態を検出するとともに、認証機構４０によって磁気テープカートリッジ１０の正当性が認証されることを条件として、磁気テープ装置外付けユニット３０は、記憶媒体搬送機構６０のベルト６１ａおよび６１ｂによって、磁気テープカートリッジ１０を左右から拘束する（図１１の(3)を参照）。
【００４２】
次に、磁気テープ装置外付けユニット３０は、記憶媒体搬送装置６０によって、磁気テープカートリッジ１０が拘束されることを条件として、磁気テープ装置２０の収容口付近に取り付けられた収容口開閉機構５０のシャッタ５１を、シャッタ駆動用モータ５２による駆動で回転させ、磁気テープ装置２０の収容口を開放する（図１１の(4)を参照）。
【００４３】
そして、磁気テープ装置外付けユニット３０は、磁気テープカートリッジ１０を拘束しているベルト６１ａおよび６１ｂを、ベルト駆動用モータ６２による駆動で回転させることで、磁気テープカートリッジ１０を磁気テープ装置２０の内部へと搬送する（図１１の(5)参照）。ここで、磁気テープ装置外付けユニット３０は、磁気テープカートリッジ１０が、磁気テープ装置２０内の所定の位置（磁気テープカートリッジが磁気テープ装置の内部に収容可能な位置）に設置されたか否かを、センサー７２によって検知する。
【００４４】
そして、磁気テープ装置外付けユニット３０は、磁気テープカートリッジ１０が、磁気テープ装置２０内の所定の位置に設置されたことをセンサー７２によって検知すると、磁気テープ装置２０の収容口付近に取り付けられたシャッタ５１を、シャッタ駆動用モータ５２による駆動で回転させ、磁気テープ装置２０の収容口を閉鎖する（図１１の(6)を参照）。
【００４５】
最後に、磁気テープ装置外付けユニット３０は、収容口開閉機構５０によって収容口が閉鎖されることを条件として、磁気テープカートリッジ１０を拘束している記憶媒体搬送機構６０のベルト６１ａおよび６１ｂを左右に開き、磁気テープカートリッジ１０に対する拘束を解除する（図１１の(7)を参照）。こうして、磁気テープカートリッジ１０は、磁気テープ装置２０の内部へ収容可能な状態となる。
【００４６】
［３：記憶媒体収容装置外付けユニットによる処理（実施例１）］
次に、図１２〜図１８を用いて、実施例１における記憶媒体収容装置外付けユニット３０による処理を説明する。図１２は、実施例１における記憶媒体収容装置外付けユニット３０による処理の手順を示すフローチャートであり、図１３は、初期状態にするための処理の手順を示すフローチャートであり、図１４は、記憶媒体拘束機構６０による拘束処理の手順を示すフローチャートであり、図１５は、収容口開閉機構５０による開放処理の手順を示すフローチャートであり、図１６は、記憶媒体搬送機構６０による搬送処理の手順を示すフローチャートであり、図１７は、収容口開閉機構５０による閉鎖処理の手順を示すフローチャートであり、図１８は、記憶媒体搬送機構６０による拘束解除処理の手順を示すフローチャートである。
【００４７】
図１２に示すように、磁気テープ装置外付けユニット３０は、ユーザによって磁気テープ装置外付けユニット３０の電源が入れられると、まず、後述する図１３で説明する初期状態にするための処理を行う（ステップＳ１２０１）。なお、この初期状態にするための処理を終了すると、磁気テープ装置外付けユニット３０の収容口開閉機構５０は、シャッタ５１を回転させることによって、収容口を閉鎖した状態に、記憶媒体搬送機構６０は、ベルト６１ａおよび６１ｂを左右に開いた状態となる。
【００４８】
そして、記憶媒体搬送機構６０を構成するセンサー６４が「ＯＮ」の状態で、かつ、認証機構４０を構成するアンテナ４１およびリーダライタ４２による認証が「ＯＫ」の状態であるか否かを判定し（ステップＳ１２０２）、センサー６４が「ＯＮ」の状態で、かつ、認証が「ＯＫ」の状態であれば（ステップＳ１２０２肯定）、磁気テープカートリッジ１０の搬送処理へと移行する（ステップＳ１２０３〜Ｓ１２０７）。具体的には、センサー６４が「ＯＫ」の状態、すなわち、磁気テープカートリッジ１０が磁気テープ装置外付けユニット３０の内部に投入された状態で、かつ、認証が「ＯＫ」の状態、すなわち、認証機構４０が、当該磁気テープカートリッジ１０の正当性(例えば、確かな作成者によって作成されたものであるなど)を認証した状態であれば、磁気テープ装置外付けユニット３０は、当該磁気テープカートリッジ１０を磁気テープ装置２０に収容するために、搬送処理へと移行する。
【００４９】
次に、磁気テープカートリッジ１０の搬送処理について簡単に説明すると、まず、記憶媒体搬送機構６０が、後述する図１４で説明するように、ベルト６１ａおよび６１ｂによって、磁気テープカートリッジ１０を左右から拘束する（ステップＳ１２０３）。
【００５０】
そして、記憶媒体搬送機構６０によって磁気テープカートリッジ１０が拘束されることを条件として、収容口開閉機構５０が、後述する図１５で説明するように、シャッタを回転させることによって、収容口を開放する（ステップＳ１２０４）。
【００５１】
そして、収容口開閉機構５０によってシャッタが回転し、収容口が開放されると、記憶媒体搬送機構６０が、後述する図１６で説明するように、ステップＳ１２０３で磁気テープカートリッジ１０を拘束した６１ａおよび６１ｂのベルトを回転させることによって、磁気テープカートリッジ１０を磁気テープ装置２０の内部へと搬送する（ステップＳ１２０５）。
【００５２】
そして、記憶媒体搬送機構６０によって磁気テープカートリッジ１０が磁気テープ装置２０の内部へと搬送されると、収容口開閉機構５０が、後述する図１７で説明するように、シャッタを回転させることによって、収容口を閉鎖する（ステップＳ１２０６）。
【００５３】
そして、収容口開閉機構５０によってシャッタが回転し、収容口が閉鎖されることを条件として、記憶媒体搬送機構６０が、後述する図１８で説明するように、ステップＳ１２０３で拘束し、ステップＳ１２０５で搬送した磁気テープカートリッジ１０に対する拘束を解除する（ステップＳ１２０７）。
【００５４】
このようにして、磁気テープカートリッジ１０の搬送処理が行われると（ステップＳ１２０３〜Ｓ１２０７）、磁気テープカートリッジ１０は磁気テープ装置２０の内部へと収容可能な状態となるので、磁気テープ装置２０は収容のための動作を開始する（ステップＳ１２０８）。
【００５５】
次に、ステップＳ１２０２における記憶媒体搬送機構６０を構成するセンサー６４と、認証機構４０を構成するアンテナ４１およびリーダライタ４２との判定で、センサー６４が「ＯＦＦ」の状態で、または、認証が「ＮＧ」の状態である場合（ステップＳ１２０２否定）について説明する。
【００５６】
まず、センサー６４が「ＯＦＦ」の状態で、または、認証が「ＮＧ」の状態である場合（ステップＳ１２０２否定）、磁気テープ装置外付けユニット３０は、次に、センサー７１が「ＯＮ」の状態で、かつ、センサー７２が「ＯＮ」の状態であるか否かを判定し（ステップＳ１２０９）、センサー７１が「ＯＮ」の状態で、かつ、センサー７２が「ＯＮ」の状態であれば（ステップＳ１２０９肯定）、磁気テープカートリッジ１０の排出処理へと移行する（ステップＳ１２１０〜Ｓ１２１４）。具体的には、センサー７１が「ＯＮ」の状態、すなわち、磁気テープカートリッジ１０が磁気テープ装置２０内部から未排出の状態で、かつ、センサー７２が「ＯＮ」の状態、すなわち、磁気テープカートリッジ１０が磁気テープ装置２０の内部に収容可能な位置に設置された状態であれば、磁気テープ装置外付けユニット３０は、当該磁気テープカートリッジ１０を磁気テープ装置２０から排出するために、排出処理へと移行する。
【００５７】
次に、磁気テープカートリッジ１０の排出処理について簡単に説明すると、まず、記憶媒体搬送機構６０が、後述する図１４で説明するように、ベルト６１ａおよび６１ｂによって、磁気テープカートリッジ１０を左右から拘束する（ステップＳ１２１０）。
【００５８】
そして、記憶媒体搬送機構６０によって磁気テープカートリッジ１０が拘束されることを条件として、収容口開閉機構５０が、後述する図１５で説明するように、シャッタを回転させることによって、収容口を開放する（ステップＳ１２１１）。
【００５９】
そして、収容口開閉機構５０によってシャッタが回転し、収容口が開放されると、記憶媒体搬送機構６０が、ステップＳ１２１０で磁気テープカートリッジ１０を拘束した６１ａおよび６１ｂのベルトを回転させることによって、磁気テープカートリッジ１０を磁気テープ装置２０の内部から排出する（ステップＳ１２１２）。
【００６０】
そして、記憶媒体搬送機構６０によって磁気テープカートリッジ１０が磁気テープ装置２０外へと排出されると、収容口開閉機構５０が、後述する図１７で説明するように、シャッタを回転させることによって、収容口を閉鎖する（ステップＳ１２１３）。
【００６１】
そして、収容口開閉機構５０によってシャッタが回転し、収容口が閉鎖されることを条件として、記憶媒体搬送機構６０が、後述する図１８で説明するように、ステップＳ１２１０で拘束し、ステップＳ１２１２で排出した磁気テープカートリッジ１０に対する拘束を解除する（ステップＳ１２１４）。
【００６２】
なお、センサー７１が「ＯＦＦ」の状態で、または、センサー７２が「ＯＦＦ」の状態である場合は（ステップＳ１２０９否定）、磁気テープ装置外付けユニット３０は、処理を終了する。
【００６３】
続いて、図１３を用いて、初期状態にするための処理を説明する（ステップＳ１２０１）。図１３に示すように、磁気テープ装置外付けユニット３０は、ユーザによって磁気テープ装置外付けユニット３０の電源が入れられると、まず、センサー７１が「ＯＮ」の状態であるか否かを判定し、センサー７１が「ＯＮ」の状態であれば（ステップＳ１３０１肯定）、すなわち、磁気テープカートリッジ１０が磁気テープ装置２０内部から未排出の状態であるため、記憶媒体搬送機構６０が、後述する図１４で説明するように、ベルト６１ａおよび６１ｂによって、磁気テープカートリッジ１０を左右から拘束する（ステップＳ１３０２）。
【００６４】
そして、記憶媒体搬送機構６０によって磁気テープカートリッジ１０が拘束されることを条件として、収容口開閉機構５０が、後述する図１５で説明するように、シャッタを回転させ、収容口を開放する（ステップＳ１３０３）。
【００６５】
そして、収容口開閉機構５０によってシャッタが回転し、収容口が開放されると、記憶媒体搬送機構６０が、ステップＳ１３０２で磁気テープカートリッジ１０を拘束した６１ａおよび６１ｂのベルトを回転させ、磁気テープカートリッジ１０を磁気テープ装置２０の内部から排出する（ステップＳ１３０４）。
【００６６】
そして、記憶媒体搬送機構６０によって磁気テープカートリッジ１０が磁気テープ装置２０の内部から排出されると、収容口開閉機構５０が、後述する図１７で説明するように、シャッタを回転させることによって、収容口を閉鎖する（ステップＳ１３０５）。
【００６７】
そして、収容口開閉機構５０によってシャッタが回転し、収容口が閉鎖されることを条件として、記憶媒体搬送機構６０が、後述する図１８で説明するように、ステップＳ１３０２で拘束し、ステップＳ１３０４で排出した磁気テープカートリッジ１０に対する拘束を解除する（ステップＳ１３０６）。
【００６８】
ステップＳ１３０１における判定で、センサー７１が「ＯＦＦ」の状態である場合（ステップＳ１３０１否定）、センサー６４が「ＯＮ」の状態であるか否かを判定し（ステップＳ１３０７）、「ＯＮ」の状態であれば（ステップＳ１３０７肯定）、磁気テープ装置外付けユニット３０は、記憶媒体搬送機構６０による排出処理から（ステップＳ１３０４）、上記したように、収容口開閉機構５０による閉鎖処理（ステップＳ１３０５）、記憶媒体搬送機構６０による拘束解除処理を順に行う(ステップＳ１３０６)。
【００６９】
また、ステップＳ１３０１における判定で、センサー７１が「ＯＦＦ」の状態である場合（ステップＳ１３０１否定）、センサー６４が「ＯＮ」の状態であるか否かを判定し（ステップＳ１３０７）、「ＯＦＦ」の状態であれば（ステップＳ１３０７否定）、磁気テープ装置外付けユニット３０は、収容口開閉機構５０による閉鎖処理から（ステップＳ１３０５）、上記したように、記憶媒体搬送機構６０による拘束解除処理を順に行う（ステップＳ１３０６）。
【００７０】
このように、いずれの場合においても、収容口開閉機構５０による閉鎖処理（ステップＳ１３０５）、記憶媒体搬送機構６０による拘束解除処理は必ず実施されるので（ステップＳ１３０６）、初期状態にするための処理を終了すると、磁気テープ装置外付けユニット３０の収容口開閉機構５０は、シャッタ５１を回転させることによって、収容口を閉鎖した状態に、記憶媒体搬送機構６０は、ベルト６１ａおよび６１ｂを左右に開いた状態となる。
【００７１】
なお、図１３に示される、Ａ〜Ｆのアルファベットは、後述する図１４〜図１８で説明するように、その他の処理の途中でイジェクトスイッチ３２を押したときに、初期状態にするための処理における所定の処理へと戻る位置を示したものである。
【００７２】
続いて、図１４を用いて、記憶媒体搬送機構６０による拘束処理を説明する（ステップＳ１２０３、ステップＳ１２１０、ステップＳ１３０２）。まず、記憶媒体搬送機構６０は、テンション解除用モータ６３を正回転し、磁気テープカートリッジ１０をベルト６１ａおよび６１ｂで左右から拘束する（ステップＳ１４０１）。
【００７３】
次に、イジェクトスイッチ３２が「ＯＮ」の状態であるか否かを判定し（ステップＳ１４０２）、「ＯＮ」の状態であれば（ステップＳ１４０３肯定）、上記した初期状態にするための処理における所定の処理へと戻るが、「ＯＦＦ」の状態であれば（ステップＳ１４０２否定）、センサー６６が「ＯＮ」の状態であるか否かを判定する(ステップＳ１４０３)。
【００７４】
そして、センサー６６が「ＯＮ」の状態であれば（ステップＳ１４０３肯定）、ベルト６１ａおよび６１ｂが磁気テープカートリッジ１０を拘束した状態であるので、磁気テープ装置外付けユニット３０は、収容口開閉機構５０による開放処理へと移行する（ステップＳ１２０４、ステップＳ１２１１、ステップＳ１３０３）。また、センサー６６が「ＯＦＦ」の状態であれば（ステップＳ１４０３否定）、ベルト６１ａおよび６１ｂが磁気テープカートリッジ１０に対する拘束を解除した状態であるので、磁気テープ装置外付けユニット３０は、テンション解除用モータ６３を正回転させる処理へと戻る（ステップＳ１４０１）。
【００７５】
続いて、図１５を用いて、収容口開閉機構５０による開放処理を説明する（ステップＳ１２０４、ステップＳ１２１１、ステップＳ１３０３）。まず、収容口開閉機構５０は、シャッタ駆動用モータ５２を正回転し、シャッタ５１を回転することによって、収容口を開放する（ステップＳ１５０１）。
【００７６】
次に、イジェクトスイッチ３２が「ＯＮ」の状態であるか否かを判定し（ステップＳ１５０２）、「ＯＮ」の状態であれば（ステップＳ１５０２肯定）、上記した初期状態にするための処理における所定の処理へと戻るが、「ＯＦＦ」の状態であれば（ステップＳ１５０２否定）、センサー５４が「ＯＮ」の状態であるか否かを判定する（ステップＳ１５０３）。
【００７７】
そして、センサー５４が「ＯＮ」の状態であれば（ステップＳ１５０３肯定）、シャッタ５１を回転させることによって、収容口を開放した状態であるので、磁気テープ装置外付けユニット３０は、記憶媒体搬送機構６０による搬送処理へと移行する（ステップＳ１２０５）。また、センサー５４が「ＯＦＦ」の状態であれば（ステップＳ１５０３否定）、シャッタ５１を回転させることによって、収容口を閉鎖した状態であるので、磁気テープ装置外付けユニット３０は、シャッタ駆動用モータ５２を正回転させる処理へと戻る（ステップＳ１５０１)。
【００７８】
続いて、図１６を用いて、記憶媒体搬送機構６０による搬送処理を説明する（ステップＳ１２０５）。まず、記憶媒体搬送機構６０は、ベルト駆動用モータ６２によりベルト６１ａおよび６１ｂを回転させ、一方を正回転、他方を逆回転させることにより、磁気テープカートリッジ１０を、磁気テープ装置２０の内部へと搬送する（ステップＳ１６０１）。
【００７９】
次に、イジェクトスイッチ３２が「ＯＮ」の状態であるか否かを判定し（ステップＳ１６０２）、「ＯＮ」の状態であれば（ステップＳ１６０２肯定）、上記した初期状態にするための処理における所定の処理へと戻るが、「ＯＦＦ」の状態であれば（ステップＳ１６０２否定）、センサー７２が「ＯＮ」の状態で、かつ、センサー７１が「ＯＦＦ」の状態であるか否かを判定する(ステップＳ１６０３)。そして、センサー７２が「ＯＮ」の状態で、かつ、センサー７１が「ＯＦＦ」の状態であれば(ステップＳ１６０３肯定)、ベルト駆動用モータ６２を停止する（ステップＳ１６０４）。具体的には、センサー７２が「ＯＮ」の状態、すなわち、磁気テープカートリッジ１０が磁気テープ装置２０の内部に収容可能な位置に設置された状態で、かつ、センサー７１が「ＯＦＦ」の状態、すなわち、磁気テープカートリッジ１０が磁気テープ装置２０内部から排出された状態にはない場合、磁気テープ装置外付けユニット３０は、ベルト駆動用モータ６２を停止する。
【００８０】
そして、再び、イジェクトスイッチ３２が「ＯＮ」の状態であるか否かを判定し（ステップＳ１６０５）、「ＯＮ」の状態であれば（ステップＳ１６０５肯定）、上記した初期状態にするための処理における所定の処理へと戻るが、「ＯＦＦ」の状態であれば（ステップＳ１６０５否定）、収容口開閉機構５０による閉鎖処理へと移行する（ステップＳ１２０６、ステップＳ１２１３、ステップＳ１３０５）。
【００８１】
続いて、図１７を用いて、収容口開閉機構５０による閉鎖処理を説明する（ステップＳ１２０６、ステップＳ１２１３、ステップＳ１３０５）。まず、収容口開閉機構５０は、シャッタ駆動用モータ５２を逆回転し、シャッタ５１を回転させることによって、収容口を閉鎖する（ステップＳ１７０１）。
【００８２】
次に、イジェクトスイッチ３２が「ＯＮ」の状態であるか否かを判定し（ステップＳ１７０２）、「ＯＮ」の状態であれば（ステップＳ１７０２肯定）、上記した初期状態にするための処理における所定の処理へと戻るが、「ＯＦＦ」の状態であれば（ステップＳ１７０２否定）、センサー５３が「ＯＮ」の状態であるか否かを判定する（ステップＳ１７０３）。
【００８３】
そして、センサー５３が「ＯＮ」の状態であれば（ステップＳ１７０３肯定）、シャッタ５１を回転させることによって、収容口を閉鎖した状態であるので、磁気テープ装置外付けユニット３０は、記憶媒体搬送機構６０による拘束解除処理へと移行する（ステップＳ１２０７、ステップＳ１２１４、ステップＳ１３０６）。また、センサー５３が「ＯＦＦ」の状態であれば（ステップＳ１７０３否定）、シャッタ５１を回転させることによって、収容口を開放した状態であるので、磁気テープ装置外付けユニット３０は、シャッタ駆動用モータ５２を逆回転させる処理へと戻る（ステップＳ１７０１)。
【００８４】
続いて、図１８を用いて、記憶媒体搬送機構６０による拘束解除処理を説明する（ステップＳ１２０７、ステップＳ１２１４、ステップＳ１３０６）。まず、記憶媒体搬送機構６０は、テンション解除用モータ６３を正回転し、磁気テープカートリッジ１０に対する拘束を解除する（ステップＳ１８０１）。
【００８５】
次に、イジェクトスイッチ３２が「ＯＮ」の状態であるか否かを判定し（ステップＳ１８０２）、「ＯＮ」の状態であれば（ステップＳ１８０２肯定）、上記した初期状態にするための処理における所定の処理へと戻るが、「ＯＦＦ」の状態であれば（ステップＳ１８０２否定）、センサー６５が「ＯＮ」の状態であるか否かを判定する(ステップＳ１８０３)。
【００８６】
そして、センサー６５が「ＯＮ」の状態であれば（ステップＳ１８０３肯定）、ベルト６１ａおよび６１ｂが磁気テープカートリッジ１０に対する拘束を解除した状態であるので、磁気テープ装置外付けユニット３０は、磁気テープ装置２０への収容開始処理へと移行する（ステップＳ１２０８）。また、センサー６５が「ＯＦＦ」の状態であれば（ステップＳ１８０３否定）、ベルト６１ａおよび６１ｂなどが磁気テープカートリッジ１０を拘束した状態であるので、磁気テープ装置外付けユニット３０は、テンション解除用モータ６３を正回転させる処理へと戻る（ステップＳ１８０１）。
【００８７】
[実施例１の効果]
上述してきたように、実施例１によれば、記憶媒体収容装置に収容されようとする記憶媒体の正当性を認証し、認証手段によって記憶媒体の正当性が認証されることを条件として、収容口を開放し、認証手段によって記憶媒体の正当性が認証されることを条件として前記収容口開閉手段によって開放された収容口から記憶媒体を記憶媒体収容装置の内部へと搬送するので、記憶媒体収容装置外付けユニットは、記憶媒体の正当性を判別することができ、かつ、既存の記憶媒体収容装置を利用することができ、これによって、既存の記憶媒体収容装置に改造を加えることなくセキュリティを簡易に確保することが可能になる。
【００８８】
また、実施例１によれば、収容口開閉手段は、記憶媒体搬送手段によって記憶媒体が拘束されることを条件として、収容口を開放するので、記憶媒体収容装置外付けユニットは、記憶媒体を不正な態様で記憶媒体収容装置に収容させること（例えば、収容口が開放された後に、認証された記憶媒体を抜き取り、認証されていない別の記憶媒体を投入する行為など）を防ぐことができ、これによって、記憶媒体収容装置に係るセキュリティをより強固に確保することが可能になる。
【００８９】
また、実施例１によれば、記憶媒体搬送手段は、収容口開閉手段によって収容口が閉鎖されることを条件として、記憶媒体に対する拘束を解除するので、記憶媒体収容装置外付ユニットは、記憶媒体を不正な態様で記憶媒体収容装置に収容させること（例えば、収容口が開放され、認証された記憶媒体が記憶媒体収容装置内部へ搬送された後に、この記憶媒体を抜き取り、認証されていない別の記憶媒体を記憶媒体収容装置内部へ投入する行為など）を防ぐことができ、これによって、記憶媒体収容装置に係るセキュリティをより強固に確保することが可能になる。
【００９０】
また、実施例１によれば、認証手段は、記憶媒体に付与されるＲＦＩＤ（Radio Frequency Identification）タグに記憶された情報を用いて記憶媒体を認証するので、記憶媒体収容装置外付けユニットは、無線通信を用いて高速に記憶媒体の正当性を認証することや、タグに記憶されたより多くの情報を用いて多様な目的で記憶媒体を認証することができ、これによって、記憶媒体収容装置に係るセキュリティをより高度に利用することが可能になる。
【実施例２】
【００９１】
ところで、これまで実施例１に係る磁気テープ装置外付けユニットについて説明したが、本発明は上述した実施例以外にも、種々の異なる形態にて実施されてよいものである。そこで、以下では、実施例２に係る磁気テープ装置外付けユニットとして、異なる実施例を説明する。
【００９２】
上記の実施例１では、記憶媒体として磁気テープカートリッジを、記憶媒体収容装置として磁気テープ装置を用いた場合を説明したが、本発明はこれに限定されるものではなく、記憶媒体として他の記憶媒体（例えば、フロッピー（登録商標）ディスク、半導体ディスク、Ｚｉｐ、ＣＤ−ＲＯＭ、ＭＯ、ＤＶＤ−ＲＯＭなど）、記憶媒体収容装置として記憶媒体に対応する他の記憶媒体収容装置（例えば、フロッピー（登録商標）ディスクドライブ、半導体ディスクドライブ、Ｚｉｐドライブ、ＣＤ−ＲＯＭドライブ、ＭＯドライブ、ＤＶＤ−ＲＯＭドライブなど）を用いた場合にも、本発明を同様に適用することができる。
【００９３】
また、上記の実施例１では、認証手段として、ＲＦＩＤ（Radio Frequency Identification）タグに記憶された情報を用いる手段を説明したが、本発明はこれに限定されるものではなく、バーコードに記憶された情報を用いるなど、認証のための情報を用いる手段であれば、いずれの手段でもよい。
【００９４】
また、上記の実施例１では、収容口開閉手段として、シャッタを用いる手段を説明したが、本発明はこれに限定されるものではなく、収容口に対して開閉できる手段であれば、いずれの手段でもよい。
【００９５】
また、上記の実施例１では、記憶媒体搬送手段として、ベルトを用いる手段を説明したが、本発明はこれに限定されるものではなく、記憶媒体を搬送できる手段であれば、いずれの手段でもよい。
【産業上の利用可能性】
【００９６】
以上のように、本発明に係る記憶媒体収容装置外付けユニットは、記憶媒体を収容口から収容する記憶媒体収容装置の前記収容口付近に外付けする場合に有用であり、これによって、既存の記憶媒体収容装置に改造を加えることなくセキュリティを簡易に確保することに適する。
【図面の簡単な説明】
【００９７】
【図１】磁気テープカートリッジを説明するための図である。
【図２】磁気テープ装置を説明するための図である。
【図３】ＲＦＩＤタグを付与した磁気テープカートリッジを説明するための図である。
【図４】実施例１に係る記憶媒体収容装置外付けユニットの装備について説明するための図である。
【図５】実施例１に係る記憶媒体収容装置外付けユニットの概要および特徴を説明するための図である。
【図６】認証機構を説明するための図である。
【図７】収容口開閉機構を説明するための図である。
【図８】記憶媒体搬送機構を説明するための図である。
【図９】実施例１に係る記憶媒体収容装置外付けユニットの各種機構を背面からみた図である。
【図１０】実施例１に係る記憶媒体収容装置外付けユニットの透過図である。
【図１１】実施例１に係る記憶媒体収容装置外付けユニットの動作を説明するための図である。
【図１２】実施例１における記憶媒体収容装置外付けユニット３０による処理の手順を示すフローチャートである。
【図１３】初期状態にするための処理の手順を示すフローチャートである。
【図１４】記憶媒体搬送機構６０による拘束処理の手順を示すフローチャートである。
【図１５】収容口開閉機構５０による開放処理の手順を示すフローチャートである。
【図１６】記憶媒体搬送機構６０による搬送処理の手順を示すフローチャートである。
【図１７】収容口開閉機構５０による閉鎖処理の手順を示すフローチャートである。
【図１８】記憶媒体搬送機構６０による拘束解除処理の手順を示すフローチャートである。
【符号の説明】
【００９８】
１０  磁気テープカートリッジ
１１  ＲＦＩＤタグ
２０  磁気テープ装置
２１  シーケンサ
３０  磁気テープ装置外付けユニット
３１ａ  磁気テープカートリッジ投入口
３１ｂ  磁気テープカートリッジ投入口
３２ａ  イジェクトスイッチ
３２ｂ  イジェクトスイッチ
４１  アンテナ
４２  リーダライタ
５１  シャッタ
５２  シャッタ駆動用モータ
５３  センサー
５４  センサー
６１ａ  ベルト
６１ｂ  ベルト
６２  ベルト駆動用モータ
６３  テンション解除用モータ
６４  センサー
６５  センサー
６６  センサー
６７  テンションバネ
７１  センサー
７２  センサー
【図１】
2007207331.tif 000003
【図２】
2007207331.tif 000004
【図３】
2007207331.tif 000005
【図４】
2007207331.tif 000006
【図５】
2007207331.tif 000007
【図６】
2007207331.tif 000008
【図７】
2007207331.tif 000009
【図８】
2007207331.tif 000010
【図９】
2007207331.tif 000011
【図１０】
2007207331.tif 000012
【図１１】
2007207331.tif 000013
【図１２】
2007207331.tif 000014
【図１３】
2007207331.tif 000015
【図１４】
2007207331.tif 000016
【図１５】
2007207331.tif 000017
【図１６】
2007207331.tif 000018
【図１７】
2007207331.tif 000019
【図１８】
2007207331.tif 000020